(57)【特許請求の範囲】
【請求項１】
標本を載置するステージと該ステージの上方に延びるアームを有する顕微鏡本体と、
前記アームに観察鏡筒とともに支持され、且つ複数の対物レンズを取付けるとともに、その回転により所望する対物レンズを前記観察鏡筒の光軸上に位置させる回転可能なレボルバと
を具備し、
前記レボルバの回転軸を前記顕微鏡本体正面に対して右または左方向に傾けて配置したことを特徴とする顕微鏡。
【請求項２】
レボルバは、複数の対物レンズを取付けた回転部と、この回転部を回転可能に支持する固定部を有し、前記回転部の周縁部が前記アーム側縁より外方に突出することを特徴とする請求項１記載の顕微鏡。
【発明の詳細な説明】
【０００１】
【発明の属する技術分野】
本発明は、倍率の異なる複数の対物レンズを切替え可能に取付けるレボルバを有する顕微鏡に関するものである。
【０００２】
【従来の技術】
従来、倍率の異なる複数の対物レンズを切替え可能に取付けたレボルバを有する顕微鏡では、光軸に垂直な面に対してレボルバ回転面を鏡基と反対の方向に向けて傾斜させる、いわゆる後ろ向きレボルバが最良な配置構成のものとして一般に採用されている。つまり、このような後ろ向きレボルバによれば、標本が対物レンズに遮られることないので、標本の視認性がよく、また、標本の交換が容易であること、対物レンズの先端部がよく見えるので、高倍の対物レンズのため作動距離が小さい時も、焦点を安全に出しやすいこと、例えば油浸の対物レンズの場合、オイルを標本上に垂らしやすいこと、観察している対物レンズを確認しやすいなどの利点があり、高級な顕微鏡では、後ろ向きレボルバが多く用いられている。
【０００３】
図３は、このような後ろ向きレボルバを用いた顕微鏡の概略構成を示すもので、顕微鏡本体１は、標本を載置するステージ２を有するとともに、このステージ２の上方まで延びるアーム３を有し、このアーム３の先端部に観察鏡筒４を取付けるとともに、この観察鏡筒４の下方にレボルバ５を設けている。レボルバ５は、倍率の異なる複数の対物レンズ６を取付けた回転部５１を、回転軸７を中心に回転可能にしたもので、この回転部５１の回転により所望する対物レンズ６を観察鏡筒４の光軸８上に位置させるようにしている。
【０００４】
この場合、顕微鏡本体１よりステージ２の上方まで延出されるアーム３は、観察鏡筒４およびレボルバ５を支えるものであるが、観察鏡筒４により行なわれる顕微鏡観察では、当然、低倍から高倍までの倍率をかけて観察が行なわれるため、アーム３として機械的強度は勿論であるが、振動を発生しないものが要求され、このためアーム３には、厚み寸法の大きなものが用いられている。
【０００５】
ところで、観察鏡筒４と対物レンズ６との間隔Ｌ１は、光学性能を満足するため、例え、無限遠補正の光学系であっても、ある一定の間隔に設定されている。このため、アーム３と観察鏡筒４の間またはレボルバ５とアーム３との間に照明光や観察光の分割を行なう中間鏡筒（図示せず）を挿入するためには、対物レンズ６と観察鏡筒４との間隔Ｌ１を効果的にバランスよく利用する必要がある。この場合、対物レンズ６と観察鏡筒４との間隔Ｌ１は、アーム３の厚み寸法Ｌ２とレボルバ５の厚み寸法Ｌ３から決まり、仮にレボルバ５の厚み寸法Ｌ３を大きくすると、アーム３の厚み寸法Ｌ２が小さくなって機械的強度の低下や中間鏡筒の設計自由度を奪うことになる。
【０００６】
このため、近年の高度にシステム化された顕微鏡にあっては、そのシステムを崩さないためにもアーム３の厚み寸法Ｌ２とレボルバ５の厚み寸法Ｌ３の和（Ｌ２＋Ｌ３）が一定になるようになっている。
【０００７】
一方、最近になって、顕微鏡の共有化やアプリケーションの複雑化に伴い、レボルバ５に取付けられる対物レンズの数は増える傾向にあり、現在主流の対物レンズを６個取付けたレボルバでは、要求を満たせなくなっている。そして、顕微鏡の倍率系列を見ても、０．５／１／２／４／１０／２０／４０／６０／１００の９個の対物シリーズがあり、さらに、蛍光観察や位相差観察など観察方式ごとの専用の対物レンズも増えるとともに、同じ倍率の対物レンズを目的別に使い分ける要求も増えている。
【０００８】
【発明が解決しようとする課題】
ところが、このような、いわゆる後ろ向きレボルバは、対物レンズの本数を増やしていくと、次のような問題が生じる。図４（ａ）は、６個の対物レンズ６を取付けたレボルバ５’を示し、図４（ｂ）は、８個の対物レンズ６を取付けたレボルバ５’’の例を示している。この場合、同図（ｂ）に示すように対物レンズ６の数を８個に増やすということは、対物レンズ６の取付け径を一定間隔で円周上に沿って多く配置しなければならないため、レボルバ５’’の径が大きくなることは明らかであり、実際、レボルバ５’の径Ｄ６に対してレボルバ５’’の径Ｄ８は、８／６の径にもなる。そして、レボルバ５’’の径Ｄ８が大きくなることは、その厚み寸法Ｌ８も大きくなり、傾きθを用いてレボルバ５’の厚み寸法Ｌ６との差を表すと、Ｌ８−Ｌ６＝（Ｄ８−Ｄ６）×ｓｉｎθにもなる。また、レボルバ５’’の厚み寸法Ｌ８の増大に伴いアーム３の長さ寸法も延ばす必要が生じ、これが原因してアーム３の強度か劣化するおそれがある。
【０００９】
そこで、特開昭６０−９２２１９号公報に開示されるように、レボルバの傾きθを０にし、対物レンズを水平に回転させるようにしたものが考えられている。ところが、このようにしたものによると、最高の性能が要求される顕微鏡においては、標本と対物レンズとの間隔、つまり作動距離が０．１ｍｍと極めて小さくなるため、対物レンズを水平に回転させた時、標本に段差などがあると、これに衝突することがあるなど、標本観察に不都合を生じることがあった。
本発明は、上記事情に鑑みてなされたもので、レボルバに取付けられる対物レンズ数を増やすことができる顕微鏡を提供することを目的とする。
【００１０】
【課題を解決するための手段】
請求項１記載の発明は、標本を載置するステージと該ステージの上方に延びるアームを有する顕微鏡本体と、前記アームに観察鏡筒とともに支持され、且つ複数の対物レンズを取付けるとともに、その回転により所望する対物レンズを前記観察鏡筒の光軸上に位置させる回転可能なレボルバとを具備し、前記レボルバの回転軸を前記顕微鏡本体正面に対して右または左方向に傾けて配置したことを特徴としている。
【００１１】
請求項２記載の発明は、請求項１記載の発明において、レボルバは、複数の対物レンズを取付けた回転部と、この回転部を回転可能に支持する固定部を有し、前記回転部の周縁部が前記アーム側縁より外方に突出することを特徴としている。
【００１２】
この結果、請求項１記載の発明によれば、レボルバの回転軸が、顕微鏡本体の正面に対して右または左方向に傾むけて配置されるので、この回転軸の傾きにより、レボルバがアームに干渉するのを防止できる。
【００１３】
請求項２記載の発明によれば、レボルバの複数の対物レンズを取付けた回転部周縁部がアーム側縁より外方に突出するので、回転部に多数の対物レンズが設けられ、その径が大きくなっても、回転部がアームに干渉するのを防止できる。
【００１４】
【発明の実施の形態】
以下、本発明の一実施の形態を図面に従い説明する。
図１は、本発明が適用される顕微鏡の概略構成を示している。図において、１１は、顕微鏡本体で、この顕微鏡本体１１は、標本を載置するステージ１２を有するとともに、このステージ１２の上方まで延びるアーム１３を有している。また、アーム１３の先端部に観察鏡筒１４を取付けるとともに、この観察鏡筒１４の下方にレボルバ１５を設けている。
【００１５】
レボルバ１５は、固定部１５１と、倍率の異なる複数の対物レンズ１６を取付けた回転部１５２を有し、固定部１５１に対して回転部１５２を、回転軸１７を中心に回転可能に支持し、回転部１５２の回転により所望する倍率の対物レンズ１６を観察鏡筒１４の光軸１８上に位置させることができるようになっている。この場合、回転部１５２の回転軸１７は、顕微鏡本体１１の正面に対して、つまり、観察者側から見て右方向に傾むけられていて、この回転軸１７の傾きによりレボルバ１５の回転部１５２の周縁部がアーム１３側縁より外方に突出できるようになっている。
【００１６】
なお、レボルバ１５の固定部１５１には、微分干渉観察に用いられるノマルスキープリズムを収容する穴部１９を有している。この場合、かかる穴部１９は、図２に示すようにＷＥ方向（観察者側から見て左右方向）にポラライザーを、ＮＳ方向（観察者側から見て前後方向）にアナライザーをそれぞれ配置するとともに、ＳＥ−ＮＷ方向（観察者側から見て右手前から左奥方向）にノマルスキープリズムを挿入している。
【００１７】
このような構成において、レボルバ１５の回転部１５２を、回転軸１７を中心に回転させ、この回転部１５２の回転により、所望倍率の対物レンズ１６を観察鏡筒１４の光軸１８上に位置させることにより、観察鏡筒１４より光軸１８上の対物レンズ１６を介してステージ１２上の標本の顕微鏡観察が行なわれる。
【００１８】
この場合、対物レンズ１６を支持するレボルバ１５の回転軸１７は、顕微鏡本体１１の正面に対して右方向に傾むけて配置されていて、この回転軸１７の傾きにより回転部１５２の周縁部がアーム１３側縁より外方に突出するようになるので、仮に、回転部１５２に８個の対物レンズ１６が設けられ、その径Ｄが大きくなったとしても、回転部１５２がアーム１３に干渉するのを防止できる。
【００１９】
このことは、レボルバ１５の回転部１５２の径Ｄが大きくなっても、対物レンズ１６と観察鏡筒１４との間隔Ｌ１に影響を与えるアーム１３の厚さ寸法Ｌ２を小さくするような変更を加える必要がないので、アーム１３の厚さ寸法Ｌ２を十分大きくして機械的強度を確保でき、さらに、間隔Ｌ１も常に一定に維持できるので、観察鏡筒１４を含めた光学システムへの影響も無くすことができる。
【００２０】
また、レボルバ１５は、顕微鏡本体１１の正面に対して横を向くようになり、図示の場合、右側方向から、対物レンズ１６に煩わされることなく、ステージ１２上の標本と対物レンズ１６の関係を見ることができるので、標本の交換を支障なく行なうことができるとともに、油浸の対物レンズの場合も、オイルを標本上に垂らしやすいなどの利点も確保できる。
【００２１】
さらに、レボルバ１５の回転軸１７を顕微鏡本体１１の正面に対して右方向に傾むけることで、通常とおり、微分干渉観察に用いられるポラライザー、アナライザーの方向およびノマルスキープリズムの方向を守ることができる。
【００２２】
つまり、このような構成とすれば、レボルバ１５上に多数の対物レンズ１６を取付けた場合も、システムを崩すことなく、アーム１３の厚さ寸法Ｌ２を変更することなく、さらに、使い勝手を悪化させることもない顕微鏡を実現することができる。
【００２３】
なお、上述した実施の形態では、ノマルスキープリズムを用いた場合を述べたが、ノマルスキープリズムを用いない場合は、レボルバ１５の回転軸１７を、観察者側から見て左上方向に傾けることができ、また、アーム１３の厚さ寸法Ｌ２に影響を与えない範囲で、レボルバ１５全体を、光軸１８を中心に回転させることもできる。さらに、ノマルスキープリズムをレボルバ１５の固定部１５１に設けたが、対物レンズ１６個別に回転部１５２に設けるようにもできる。
【００２４】
【発明の効果】
以上述べたように、本発明によれば、レボルバ上に多数の対物レンズを取付けた場合も、システムを崩すことがなく、アームの厚さ寸法を変更することもなく、さらに、使い勝手を悪化させることがない顕微鏡を実現できる。
【図面の簡単な説明】
【図１】本発明の一実施の形態の概略構成を示す図。
【図２】一実施の形態に用いられるレボルバの概略構成を示す図。
【図３】従来の顕微鏡の一例の概略構成を示す図。
【図４】従来の顕微鏡のレボルバの概略構成を示す図。
【符号の説明】
１１…顕微鏡本体
１２…ステージ
１３…アーム
１４…観察鏡筒
１５…レボルバ
１５１…固定部
１５２…回転部
１６…対物レンズ
１７…回転軸
１８…光軸
１９…穴部
【図１】
0004212157.tif 000002
【図２】
0004212157.tif 000003
【図３】
0004212157.tif 000004
【図４】
0004212157.tif 000005